(57)【要約】【課題】強風が吹いた場合でもメモの保持が可能であり、不必要となったメモを簡単に取り外し、次に必要なメモが利用できる状態にすることができ、設置角度を簡単にすばやく調整することができる発表台を提供すること。【解決手段】発表台は、複数のメモを発表前メモ及び発表後メモにそれぞれ分けて収容する発表前メモ収容領域及び発表後メモ収容領域を備えた発表台本体と、発表台本体に取り付けられた取付手段と、取付手段に連結され、発表台本体及び取付手段を支持可能な支持手段と、を備える。発表台本体は、発表前メモ収容領域の発表者側を形成する前本体部と、発表前メモ収容領域の発表者側以外の領域と発表後メモ収容領域とを形成する後本体部と、を備える。前本体部は透光性を有する材質で形成されている。後本体部は、複数の発表前メモのそれぞれを出し入れ可能な第一スリットと、複数の発表後メモのそれぞれを出し入れ可能な第二スリットとを有する。【選択図】図１
2010162200.tif 000002
【特許請求の範囲】
【請求項１】
発表者が複数のメモを読む際に用いられる発表台であって、
前記複数のメモを、発表前のメモである複数の発表前メモ及び発表後のメモである複数の発表後メモに、それぞれ、分けて収容する発表前メモ収容領域及び発表後メモ収容領域を備えた発表台本体と、
前記発表台本体に取り付けられた取付手段と、
前記取付手段に連結され、前記発表台本体及び前記取付手段を支持可能な支持手段と、を備え、
前記発表台本体は、前記発表前メモ収容領域の発表者側を形成する前本体部と、前記発表前メモ収容領域の発表者側以外の領域と前記発表後メモ収容領域とを形成する後本体部と、を備え、
前記前本体部は透明性を有する材質で形成されており、
前記後本体部は、前記複数の発表前メモのそれぞれを出し入れ可能な第一スリットと、前記複数の発表後メモのそれぞれを出し入れ可能な第二スリットとを有する発表台。
【請求項２】
前記複数のメモのうち、複数の所定のメモのそれぞれは、インデックスタブを備え、
前記第一スリットは、前記複数の所定のメモが前記発表前メモ収容領域に収容されたときに、前記複数の所定のメモのそれぞれのインデックスタブが前記第一スリットから露出する位置に形成されている、請求項１に記載の発表台。
【請求項３】
前記取付手段は、前記発表台本体の位置を調節可能な位置調節手段を有することを特徴とする請求項１又は２に記載の発表台。
【請求項４】
前記第一スリット及び／又は前記第二スリットは、２つの平面にそれぞれスリットを有し、前記スリットが組み合わさったＬ字型のスリットであることを特徴とする請求項１乃至３のいずれか１項に記載の発表台。
【請求項５】
前記発表台はさらに、
前記発表前メモ収納部の前面部を照らす照明手段と、
前記照明手段に電力を供給する電力手段と、を備えることを特徴とする請求項１乃至４のいずれか１項に記載の発表台。
【発明の詳細な説明】
【技術分野】
【０００１】
本発明は、発表時に発表者が参照するメモを保持する発表台に関する。
【背景技術】
【０００２】
従来より、多人数の前で行う、やや時間がかかる司会やスピーチ等の場面において、手に持ったメモを見ながら行う場合、周期的にメモを見るときに発表者が下を向くことによって、マイクでの集音が途切れたりする等、聞き取りづらくなることがあった。また、マイクの正面を向いて話す場合、マイクの近くにメモ等をかざす必要があるため、聴く側の角度によっては、メモによって顔が隠れたりする等、スピーチとしての態勢に支障があった。
【０００３】
特許文献１において、観客の視界を遮ることなく、マイクスタンドのブームにも直付けでき、複数枚の楽譜を曲順に重ねることができ、野外でも風に飛ばされにくく保持が可能である譜面台が提案されている。また、特許文献１において譜面台における譜面保持手段として、譜面上端縁近傍に開けた孔に突入するためのピンの構成や、バインダグリップによる構成や、Ｌ字フック型のピンの構成が示されている。
【先行技術文献】
【特許文献】
【０００４】
【特許文献１】実用新案登録第３１３２０２０号公報
【発明の概要】
【発明が解決しようとする課題】
【０００５】
しかし、特許文献１に記載の譜面台における譜面保持手段は、弱い風については保持が可能であるが、強風が吹いた場合には保持が難しく、複数枚の譜面がある場合において、不必要な譜面を取り外し、必要は譜面を演奏者が見られる状態にする切り替え作業を行うためには、発表や演奏を一端中断し、譜面の切り替え作業を行わなければならない。さらに、マイクスタンドのブームに取り付ける場合には、あらかじめクリップ部分のアングルプレートの角度を調整しておく必要があり、微調整が必要な際に簡単にすばやく調整することが難しいという課題がある。
【０００６】
本発明は、上記課題を鑑みたものであり、強風が吹いた場合でもメモの保持が可能であり、不必要となったメモを簡単に取り外し、次に必要なメモが利用できる状態にすることができ、設置角度を簡単にすばやく調整することができる発表台を提供することを目的とする。
【課題を解決するための手段】
【０００７】
（１）本発明は、発表者が複数のメモを読む際に用いられる発表台であって、前記複数のメモを、発表前のメモである複数の発表前メモ及び発表後のメモである複数の発表後メモに、それぞれ、分けて収容する発表前メモ収容領域及び発表後メモ収容領域を備えた発表台本体と、前記発表台本体に取り付けられた取付手段と、前記取付手段に連結され、前記発表台本体及び前記取付手段を支持可能な支持手段と、を備え、前記発表台本体は、前記発表前メモ収容領域の発表者側を形成する前本体部と、前記発表前メモ収容領域の発表者側以外の領域と前記発表後メモ収容領域とを形成する後本体部と、を備え、前記前本体部は透明性を有する材質で形成されており、前記後本体部は、前記複数の発表前メモのそれぞれを出し入れ可能な第一スリットと、前記複数の発表後メモのそれぞれを出し入れ可能な第二スリットとを有する発表台であることを特徴とするものである。
【０００８】
（１）の発表台によれば、発表者は、発表中に読み終えたメモを発表前メモ収容領域から第一スリットを介して取り出し、当該メモを、第二スリットを介して発表後メモ収容領域に収容することができる。そのため、強風が吹いた場合でもメモの保持が可能であり、発表者は、不必要となったメモを取り外し、次に必要なメモが利用できる状態にすることができる。
【０００９】
（２）本発明は、（１）に記載の発表台において、前記複数のメモのうち、複数の所定のメモのそれぞれは、インデックスタブを備え、前記第一スリットは、前記複数の所定のメモが前記発表前メモ収容領域に収容されたときに、前記複数の所定のメモのそれぞれのインデックスタブが前記第一スリットから露出する位置に形成されていることを特徴とするものである。
【００１０】
（２）の発表台によれば、メモのそれぞれは、インデックスタブを備えているため、発表者は、不必要となったメモを取り外し、及び取り出したメモを発表後メモ収容領域への収納がより簡便になる。また、発表者は、インデックスタブの数により、発表すべきメモの枚数が何枚残っているかを瞬時かつ簡単に把握することができる。
【００１１】
（３）本発明は、（１）又は（２）に記載の発表台において、前記取付手段は、前記発表台本体の位置を調節可能な位置調節手段を有することを特徴とするものである。
【００１２】
（３）の発表台によれば、発表台の位置・取付角度を、発表者の希望に応じて、簡単にかつすばやく調整することができる。そのため、発表中であっても、発表者自身が調整の作業を行うことができ、発表者の希望する発表台の位置・取付角度に調整することができる。
【００１３】
（４）本発明は、（１）乃至（３）のいずれか１項に記載の発表台において、前記第一スリット及び／又は前記第二スリットは、２つの平面にそれぞれスリットを有し、前記スリットが組み合わさったＬ字型のスリットであることを特徴とするものである。
【００１４】
（４）の発表台によれば、第一スリット及び／又は前記第二スリットがＬ字型のスリットであるため、発表者が、メモを取り出す作業、及びメモを収納する作業が容易にすることができる。
【００１５】
（５）本発明は、（１）乃至（４）のいずれか１項に記載の発表台において、前記発表台はさらに、前記発表前メモ収納部の前面部を照らす照明手段と、前記照明手段に電力を供給する電力手段と、を備えることを特徴とするものである。
【００１６】
（５）の発表台によれば、照明手段を有しているために、発表台付近が暗くメモに書かれた文字が読みにくいような環境においても、発表者が容易にメモに書いている内容を読み取ることができる。
【発明の効果】
【００１７】
本発明の発表台によれば、発表前メモ収容領域及び発表後メモ収容領域を備えているため、強風が吹いた場合でもメモの保持が可能である。また、第一スリット及び第二スリットと、を有しているため、不必要となったメモを簡単に取り外し、次に必要なメモが利用できる状態にすることができる。
【図面の簡単な説明】
【００１８】
【図１】本発明の実施形態に係る発表台について発表者側から見た斜視図である。
【図２】本発明の実施形態に係る発表台について発表者とは反対側から見た斜視図である。
【図３】本発明の実施形態に係る発表台について図１とは異なる仕切手段を有する発表台の発表者側から見た斜視図である。
【図４】本発明の実施形態に係る発表台において使用されるメモの一例を示す図である。
【図５】本発明の実施形態に係る発表台について前本体部とは反対側から見た平面図である。
【図６】本発明の実施形態に係る発表台について前本体部に対して右側から見た平面図である。
【図７】本発明の実施形態に係る発表台についてマイクスタンドの軸部材に取り付けられた状態を示す斜視図である。
【図８】本発明の実施形態に係る発表台について発表者側から見た斜視図である。
【図９】本発明の実施形態に係る発表台について第一の使用例を示す斜視図である。
【図１０】本発明の実施形態に係る発表台について第二の使用例を示す斜視図である。
【図１１】図１０の示す第二の使用例により発表者が使用している様子を示す図である。
【発明を実施するための形態】
【００１９】
以下、本発明の実施形態について随時図を用いて説明する。図１は、本発明の実施形態に係る発表台について発表者側から見た斜視図である。本発明の発表台１は、発表台本体１０、取付手段２０、及び支持手段３０より構成される。取付手段２０は、発表台本体１０に取り付けられる。支持手段３０は、取付手段２０に連結され、発表台本体１０及び取付手段２０を支持することができる。
【００２０】
発表台本体１０は、発表前メモ収容領域１１と発表後メモ収容領域１２とを備える。発表前メモ収容領域１１と発表後メモ収容領域１２とは、例えば、仕切面１５を備えることにより、発表台本体１０の内部の空間領域を分けても良い。
【００２１】
なお、図３に示すように、発表台本体１０は、発表台本体１０の内部領域に、仕切部材１５ａ、１５ｂ、１５ｃ、１５ｄを備えることにより、発表台本体１０の内部の空間領域を分けても良い。仕切部材の数は４つとしているが、発表前メモ収容領域１１と発表後メモ収容領域１２とに分けることができれば、仕切部材の数に限定はない。
【００２２】
また、発表台本体１０は、発表前メモ収容領域１１の発表者側を形成する前本体部１０ａと、発表前メモ収容領域１１の発表者側以外の領域と前記発表後メモ収容領域１２とを形成する後本体部１０ｂとを備える。発表前メモ収容領域１１は、発表前のメモである複数の発表前メモ４１ａが収納される。また、発表後メモ収容領域１２は、発表後のメモである複数の発表後メモ４１ｂが収容される。
【００２３】
前本体部１０ａは、透明性を有する材質で形成されている。そのため、発表者は、前本体部１０ａから、発表前メモ収容領域１１に収容されている複数の発表前メモ４１ａのうち、発表者に最も近い位置にあるメモに書いてある内容を読み取ることができる。
【００２４】
後本体部１０ｂは、複数の発表前メモ４１ａのそれぞれを出し入れ可能な第一スリット１６と、複数の発表後メモ４１ｂのそれぞれを出し入れ可能な第二スリット１７とを有する。第一スリット１６は、発表前メモ収容領域１１に収容される複数の発表前メモ４１ａを、発表前メモ収容領域１１の内部から外部へ、若しくは外部から内部へ、移すことが出来るように形成される。第二スリット１７は、発表前メモ収容領域１１に収容される複数の発表後メモ４１ｂを、発表後メモ収容領域１２の外部から内部へ、若しくは内部から外部へ、移すことが出来るように形成される。そのため、発表者が、発表前メモ収容領域１１に収容される複数の発表前メモ４１ａを読み終えると、発表者は、読み終えた発表前メモ４１ａを、第一スリット１６を通して、外部へ移し、第二スリット１７を通して、発表後メモ収容領域１２に収容させる。
【００２５】
図４は、本発明の実施形態に係る発表台において使用されるメモの一例を示す図である。発表前メモ４１ａ及び発表後メモ４１ｂ（以下合わせて、メモ４１とする）のそれぞれは、インデックスタブ４２ａ、４２ｂを備えていても良い。メモ４１は、インデックスタブ４２を備えていても良い。また、複数のメモ４１は、インデックスタブ４２を備えるメモと、インデックスタブ４２を備えていないメモとが混在しても良い。
【００２６】
図１に示すように、メモ４１が発表前メモ収容領域１１に収容された場合、インデックスタブ４２ａは、第一スリット１６から露出する位置に形成される。同様に、メモ４１が発表後メモ収容領域１２に収容された場合、インデックスタブ４２ｂは、第二スリット１７から露出する位置に形成される。そのため、発表者は、不必要となったメモを取り外し、及び取り出したメモを発表後メモ収容領域への収納がより簡便になる。また、発表者は、インデックスタブの数により、発表すべきメモの枚数が何枚残っているかを瞬時かつ簡単に把握することができる。
【００２７】
次に、取付手段２０について説明する。図２は、本発明の実施形態に係る発表台について発表者とは反対側から見た斜視図である。取付手段２０は、例えば、Ｌ字型取付部材２１を使用することができる。Ｌ字型取付部材２１は、第一腕部２１ａと第二腕部２１ｂとからなる。第一腕部２１ａは、ネジ２５等によって後本体部１０ｂに取り付けられる。また、第二腕部２１ｂは、ネジ３５等によって支持手段３０と連結するための貫通孔が形成されている。そのため、取付手段２０は、発表台本体１０と支持手段３０とを繋ぐことができる。
【００２８】
支持手段３０は、例えばクリップ部材３１を使用することができる。クリップ部材３１は、例えば目玉クリップやダブルクリップ等を使用することができる。クリップ部材３１は、把手部３２ａ、３２ｂ、及び挟持部３３を有する。把手部３２ａ、３２ｂの少なくともどちらか一方の把手部には、貫通孔３４が形成されており、ネジ３５によって、クリップ部材３１と第二腕部２１ｂとを連結することができる。クリップ部材３１は、把手部３２ａと把手部３２ｂとを近づける方向に力を加えることにより、挟持部３３を開かせるバネ部材等の開閉機構を有する。そのため、挟持部３３がマイクスタンドの軸部材を挟み込むことにより、発表台１を支えることができる。なお、挟持部３３は、マイクスタンドの軸部材との挟み込みを強化させるため、及びマイクスタンドの軸部材を傷つき防止のために、ゴム部材を有していても良い。
【００２９】
また、取付手段２０は、発表台本体１０の位置を調節可能な位置調節手段を有していても良い。以下、位置調節手段について説明する。
【００３０】
図５は、本発明の実施形態に係る発表台について前本体部とは反対側から見た平面図である。取付手段２０は、位置調節手段として枠体２３を備える。枠体２３は、発表台本体１０の後本体部１０ｂに取り付けられる。枠体２３内には、Ｌ字型取付部材２１の第一腕部２１ｃがスライド出し入れ可能に保持されている。第一腕部２１ｃは、枠体２３内において相対移動可能であり、所定の位置において位置を保持することが可能な保持構造を有している。当該位置調節手段を有しているため、発表者は、発表台本体１０の位置をＸ方向及びＹ方向に位置を調節することが出来る。つまり、発表者は、発表台本体１０をＸ方向に移動させることによって、発表台本体１０をマイクスタンドの軸部材に対して遠ざけることができる。また、発表者は、発表台本体１０をＹ方向に移動させることによって、発表台本体１０をマイクスタンドの軸部材に対し近づけることができる。
【００３１】
図６は、本発明の実施形態に係る発表台について前本体部に対して右側から見た平面図である。Ｌ字型取付部材２１の第二腕部２１ｂは、位置調節手段として開口部２４を形成している。支持手段３０と第二腕部２１ｂとは、ネジ３５が、貫通孔３４と開口部２４とを通り、連結される。発表者は、ネジ３５の締りを緩めることにより、連結されている発表台本体１０及び取付手段２０の位置をＸ方向及びＹ方向に位置を調節することが出来る。つまり、発表者は、発表台本体１０及び取付手段２０をＸ方向に移動させることによって、発表台本体１０を発表者に対して近づけることができる。また、発表者は、発表台本体１０及び取付手段２０をＹ方向に移動させることによって、発表台本体１０を発表者に対して遠ざけることができる。
【００３２】
図７は、本発明の実施形態に係る発表台についてマイクスタンドの軸部材に取り付けられた状態を示す斜視図である。クリップ部材３１の挟持部３３がマイクスタンドの軸部材６２を挟み込むことにより、発表台１を支えることができる。取付手段２０と支持手段３０とは、ネジ３５によって取り付けられているため、発表台本体１０をＸ方向及びＹ方向に回転することが可能である。そのため、発表者は、発表台本体１０を発表者が望む所定の角度に調節することができる。
【００３３】
次に、本発明の別の実施形態について説明する。図８は、本発明の別の実施形態に係る発表台について発表者側から見た斜視図である。図８に示す実施形態において、第一スリット１８は、２つの平面に有したスリット１８ａ、１８ｂからなる。第一スリット１８は、スリット１８ａ、１８ｂが組み合わさることでＬ字型のスリットを形成する。つまり、第一スリット１８は、隣接する２つの側面にわたって形成されている。また、第二スリット１９は、２つの平面に有したスリット１９ａ、１９ｂからなる。第二スリット１９は、スリット１９ａ、１９ｂが組み合わさることでＬ字型のスリットを形成する。なお、図８においては、第一スリット１８及び第二スリット１９は、共にＬ字型のスリットを形成しているが、第一スリット１８又は第二スリット１９のいずれか１つがＬ字型のスリットを形成していても良い。また、図８においては、発表台本体１０の第一スリット１８及び第二スリット１９を有する面において側面部が形成されていないが、側面部を有していても良い。
【００３４】
第一スリット１８及び／又は第二スリット１９がＬ字型のスリットであるため、発表者が、メモを取り出す作業、及びメモを収納する際に、メモを斜め方向から取り出す作業、及び収納する作業をすることができる。そのため、発表者は、メモを取り出す作業、及びメモを収納する作業をさらに容易に行うことができる。
【００３５】
また、本発明の発表台はさらに、発表前メモ収納部の前本体部１０ａを照らす照明手段と、照明手段に電力を供給する電力手段とを備えることができる。照明手段は、特に限定されないが、例えばＬＥＤ照明が挙げられる。また、電力手段は、マイクの電力手段と同一であっても良い。照明手段を有していることにより、発表台付近が暗くメモに書かれた文字が読みにくいような環境においても、発表者が容易にメモに書いている内容を読み取ることができる。
【００３６】
図９は、本発明の実施形態に係る発表台について第一の使用例を示す斜視図である。発表台本体１０の底面部及び支持手段３０が、天板５０と接するように設置されることで、発表台１は、支持される。そのため、発表台１は、卓上スタンドとして使用することも可能であり、発表者は、メモを見るために下を向かずに、聴講者の方を見て発表することができる。
【００３７】
図１０は、本発明の実施形態に係る発表台について第二の使用例を示す斜視図である。また、図１１は、図１０の示す使用例により発表者が使用している様子を示す図である。支持手段３０が、マイク６３を支えるマイクスタンド６１の軸部材６２に取り付けられることで、発表台１は支持される。そのため、発表者１００は、メモを手で持たずに、聴講者の方を見て発表することができる。また、強風が吹いた場合でもメモの保持が可能であり、発表者１００は、不必要となったメモを取り外し、次に必要なメモが利用できる状態にすることができる。
【符号の説明】
【００３８】
１  発表台
１０  発表台本体
１０ａ  前本体部
１０ｂ  後本体部
１１  発表前メモ収容領域
１２  発表後メモ収容領域
１５  仕切面
１５ａ、１５ｂ、１５ｃ、１５ｄ  仕切部材
１６、１８  第一スリット
１７、１９  第二スリット
１８ａ、１８ｂ、１９ａ、１９ｂ  スリット
２０  取付手段
２１  Ｌ字型取付部材
２１ａ、２１ｃ  第一腕部
２１ｂ  第二腕部
２３  枠体
２４  開口部
２５、３５  ネジ
３０  支持手段
３１  クリップ部材
３２ａ、３２ｂ  把手部
３３  挟持部
３４  貫通孔
４１  メモ
４１ａ  発表前メモ
４１ｂ  発表後メモ
４２、４２ａ、４２ｂ  インデックスタブ
５０  天板
６１  マイクスタンド
６２  軸部材
６３  マイク
１００  発表者
【図１】
2010162200.tif 000003
【図２】
2010162200.tif 000004
【図３】
2010162200.tif 000005
【図４】
2010162200.tif 000006
【図５】
2010162200.tif 000007
【図６】
2010162200.tif 000008
【図７】
2010162200.tif 000009
【図８】
2010162200.tif 000010
【図９】
2010162200.tif 000011
【図１０】
2010162200.tif 000012
【図１１】
2010162200.tif 000013